(57)【要約】  １つ又は複数の他のチャネルによる、所望のチャネルにおける干渉を削減するために使用することが可能な手法を記載している。無線機は、望ましくない信号の周波数オフセット及び振幅に応じ、望ましくない信号のオフセット周波数及び求められた振幅に基づいて、受信信号に施される利得を設定するレベル検出ロジックを含む。例えば、所望のチャネルに隣接したチャネル内の干渉信号における信号振幅の検出を行うことができる。隣接チャネル及び所望のチャネル以外のチャネル内の干渉信号における信号振幅の検出も行うことができる。１つ又は複数の干渉チャネルの検出に基づいて、入力信号の利得を調節することができる。少なくとも雑音のスペクトル再成長、及びクリッピング雑音から生じる干渉を削減することができる。
2010514370.tif 000002
【特許請求の範囲】
【請求項１】
方法であって、
所望の信号を含む入力信号を受信する工程と、
前記入力信号における少なくとも１つの支配的な干渉信号の存在を検出する工程であって、前記少なくとも１つの支配的な干渉信号の、振幅、及び前記所望の信号との周波数オフセットを求める工程と、
前記少なくとも１つの支配的な干渉信号の前記求められた振幅及び周波数オフセットに部分的に基づいて、前記入力信号に施される利得を設定する工程とを含む方法。
【請求項２】
請求項１記載の方法であって、前記検出する工程は、
隣接する干渉信号の振幅を検出する工程を含み、前記隣接する干渉信号は周波数で前記所望の信号にほぼ隣接する方法。
【請求項３】
請求項２記載の方法であって、前記検出する工程は、
第２の干渉信号の振幅を検出する工程を更に含み、前記第２の干渉信号の中心周波数は、前記隣接する干渉信号の中心周波数からよりも前記所望の信号の中心周波数から更に離れている方法。
【請求項４】
請求項３記載の方法であって、利得を設定する工程は、
前記隣接する干渉信号の前記検出された振幅と、第１の参照値との間の差に基づいて第１の差値を求める工程と、
前記第２の干渉信号の前記検出された振幅と、第２の参照値との間の差に基づいて第２の差値を求める工程と、
前記第１の差値及び前記第２の差値のうちの大きい方に基づいて前記利得を設定する工程とを含む方法。
【請求項５】
請求項３記載の方法であって、第３の干渉信号の振幅を検出する工程を更に含み、前記第３の干渉信号の中心周波数は前記所望の信号の中心周波数及び前記隣接する干渉信号の中心周波数と異なり、前記入力信号に施される利得を調節する工程は、前記隣接する干渉信号、前記第２の干渉信号、及び前記第３の干渉信号の振幅及び周波数オフセットに部分的に基づく方法。
【請求項６】
請求項１記載の方法であって、前記入力信号は無線周波数信号を含む方法。
【請求項７】
請求項１記載の方法であって、前記入力信号は、画像を表示するために使用することができる情報を含む方法。
【請求項８】
装置であって、
入力信号を受信し、前記入力信号に利得を施すための可変利得増幅器であって、前記入力信号が所望の信号を含む可変利得増幅器と、
第１のフィルタ、ミクサ・ロジック及び第２のフィルタを備える無線ロジックであって、前記第１のフィルタは、利得を施した入力信号の一部分を減衰させ、結果として生じる信号を第２の信号として供給し、前記ミクサは前記第２の信号を周波数シフトさせ、前記第２のフィルタは、前記周波数シフトされた第２の信号の一部分を減衰させ、結果として生じる信号を出力信号として供給する無線ロジックと、
前記入力信号における少なくとも１つの支配的な干渉信号の存在を求めて検出し、前記少なくとも１つの支配的な干渉信号の、振幅、及び前記所望の信号からの周波数オフセットを求めるためのロジックと、
前記少なくとも１つの支配的な干渉信号の求められた振幅及び周波数オフセットに部分的に基づいて前記可変利得増幅器によって施される利得を設定するためのコントローラとを含む装置。
【請求項９】
請求項８記載の装置であって、前記検出するためのロジックは、
周波数で前記所望の信号に隣接する第１の干渉信号の振幅を検出するためのロジックを備える装置。
【請求項１０】
請求項９記載の装置であって、前記検出するためのロジックは、
周波数で前記所望の信号に隣接していない第２の干渉信号の振幅を検出するためのロジックを更に備える装置。
【請求項１１】
請求項１０記載の装置であって、前記コントローラは、
前記第１の干渉信号の前記検出された振幅と第１の参照値との間の差に基づいて第１の差値を求め、
前記第２の干渉信号の前記検出された振幅と第２の参照値との差に基づいて第２の差値を求め、
前記第１の差値及び前記第２の差値のうちの大きい方に基づいて前記利得を設定する装置。
【請求項１２】
請求項８記載の装置であって、前記第１のフィルタが２次フィルタを含む装置。
【請求項１３】
請求項８記載の装置であって、前記第２のフィルタが４次フィルタを含む装置。
【請求項１４】
請求項８記載の装置であって、前記第１のフィルタの次数が第２のフィルタの次数よりも高い装置。
【請求項１５】
請求項８記載の装置であって、前記第１のフィルタの次数が第２のフィルタの次数よりも低い装置。
【請求項１６】
請求項８記載の装置であって、前記検出するためのロジックは少なくとも２つの検出器を備え、各検出器は、前記入力信号において少なくとも１つの支配的な干渉信号の存在を検出することができ、第２の可変利得増幅器を更に備え、前記可変利得増幅器及び前記第２の可変利得増幅器は、前記コントローラにより、かつ、前記少なくとも２つの検出器の何れかによる、１つ又は複数の支配的な干渉信号の検出に部分的に基づいて調節することができる利得を有する装置。
【請求項１７】
システムであって、
所望の信号を含む入力信号を受信するためのアンテナと、
受信器とを備え、前記受信器は、
前記入力信号に基づいて第２の入力信号を受信し、利得を前記第２の入力信号に施すための可変利得増幅器と、
前記第２の入力信号における少なくとも１つの支配的な干渉信号の存在を検出し、前記少なくとも１つの支配的な干渉信号の、振幅、及び前記所望の信号に対する周波数オフセットを求めるためのロジックと、
前記少なくとも１つの支配的な干渉信号の前記求められた振幅及び周波数に少なくとも部分的に基づいて前記可変利得増幅器によって施される利得を設定するためのコントローラとを備えるシステム。
【請求項１８】
請求項１７記載のシステムであって、通信するよう前記受信器に結合された表示装置を更に備え、前記表示装置は、少なくとも、前記第２の入力信号のコンテンツによって供給される画像を表示するシステム。
【請求項１９】
請求項１７記載のシステムであって、前記検出するためのロジックは、
前記所望の信号に周波数で隣接している第１の干渉信号の振幅を検出するためのロジックと、
前記所望の信号に周波数で隣接していない第２の干渉信号の振幅を検出するためのロジックとを備えるシステム。
【請求項２０】
請求項１９記載のシステムであって、前記コントローラは、
前記第１の干渉信号の前記検出された振幅と第１の参照値との間の差に基づいて第１の差値を求め、
前記第２の干渉信号の前記検出された振幅と第２の参照値との間の差に基づいて第２の差値を求め、
前記第１の差値及び前記第２の差値のうちの大きい方に基づいて前記利得を設定するシステム。
【請求項２１】
請求項１７記載のシステムであって、前記入力信号は無線周波数信号を含むシステム。
【発明の詳細な説明】
【技術分野】
【０００１】
本明細書及び特許請求の範囲記載の主題は、信号干渉を削減するための手法に関する。
【背景技術】
【０００２】
無線通信システムでは、データ信号は、特定の周波数を有する搬送波信号を使用して受信器に送信される。搬送波信号の受信器は、特定の周波数以外の周波数上で、望ましくない信号を受信し得る。望ましくない信号は、受信器が送信データ信号を正確に再生することができないような干渉をもたらし得る。
【発明の概要】
【発明が解決しようとする課題】
【０００３】
受信器が送信データ信号を正確に再生することができるように干渉を削減することが望ましい。
【課題を解決するための手段】
【０００４】
本発明の実施例は、限定としてではなく、例として示す。図中、同じ参照符号は同じ構成要素を表す。
【図面の簡単な説明】
【０００５】
【図１】望ましくない信号から生じる干渉の例を表す図である。
【図２】信号を受信することができる無線受信器の従来技術のフロントエンド部分の例を表す図である。
【図３】本発明の一部の実施例による、干渉を削減することができるシステムを表す図である。
【図４】本発明の一部の実施例による、制御信号を供給するために使用することが可能なシステムを表す図である。
【図５】検出された複合振幅の例を表す図である。
【図６】本発明の一部の実施例による、干渉を削減するために使用することが可能な処理を表す図である。
【図７】本発明の一部の実施例によるシステムを示す図である。
【発明を実施するための形態】
【０００６】
本明細書全体の、「ｏｎｅ  ｅｍｂｏｄｉｍｅｎｔ」又は「ａｎ  ｅｍｂｏｄｉｍｅｎｔ」への言及は、本願の実施例に関して説明した特定の構成、構造又は特性が本発明の少なくとも一実施例に含まれていることを意味している。よって、本明細書全体の種々の箇所に「ｉｎ  ｏｎｅ  ｅｍｂｏｄｉｍｅｎｔ」又は「ｉｎ  ａｎ  ｅｍｂｏｄｉｍｅｎｔ」の句が記載されていることは、必ずしも、全て、同じ実施例を表している訳でない。更に、特定の構成、構造、又は特性を、１つ又は複数の実施例において組み合わせることができる。
【実施例】
【０００７】
図１は、干渉信号によって生じる干渉の例を表す。周波数Ｎの信号は所望のディジタル信号であり得る。例えば、所望の信号はビデオ又は他の情報を搬送し得、無線で送信することができる。Ｎ＋１及びＮ＋３の隣接周波数からの信号を示す。例えば、Ｎ＋１は周波数Ｎから６ＭＨｚであり得る一方、Ｎ＋３は周波数Ｎから１８ＭＨｚであり得るが、値１は、６ＭＨｚ以外の周波数オフセットを表し得る。Ｎ＋１における信号から生じる雑音は、３次スペクトル・スプラッタ又は「再成長」雑音であり、要素１０２において表すようにみえ得る。Ｎ＋３における信号から生じる雑音は、再成長雑音よりも広い周波数範囲に影響を及ぼし得る「クリッピング雑音」（要素１０４として示す）の形式で表れ得る。単純にするためにＮ−Ｉ信号及びＮ−３信号は示していないが、存在していることがあり得る。所望の信号のチャネルからのＮ＋ｙオフセットにおける信号への言及は、所望の信号のチャネルからのＮ−ｙオフセットにおけるＮ−ｙ信号を含み得る（ここで、ｙは整数である）。
【０００８】
例えば、（Ｎ＋２）次のチャネル乃至（Ｎ＋７）次のチャネルは、スプラッタ及び非線形圧縮により、所望のチャネルを劣化させ得る。したがって、別々の機構が、直接隣接チャネル及び非直接隣接チャネルについて関係し得る。更に、望ましくない直接隣接搬送波の場合よりも高い信号レベルを、古典的な非線形性生成を有する段における望ましくない非直接隣接搬送波の場合に許容され得るということがあり得る。
【０００９】
ディジタル・テレビジョン信号の干渉は、図１に示すものと同様な特性を表し得る。高度テレビジョン・システム委員会は、アメリカ合衆国及び他の国々のＡＴＳＣディジタル・テレビジョン標準を策定している。ＡＴＳＣの下では、ディジタル・テレビジョン信号は、アナログ・テレビジョン信号を送信するために使用される周波数に連接した周波数で送信される。ＡＴＳＣ標準は、他のディジタル・テレビジョン・サービスに隣接して、ディジタル・テレビジョン・サービスが送信されることも可能にする。テレビジョン信号は通常、約６ＭＨｚの周波数間隔で送信される。望ましくない前述のテレビジョン信号（アナログ信号、又は更に劣化させるディジタル信号）は所望のディジタル・テレビジョン信号と干渉し得る。ディジタル・テレビジョン信号と直接隣接するテレビジョン信号は、ディジタル・テレビジョン信号と比較して信号振幅で約１００倍であり得る一方、５チャンネル（すなわち、３０ＭＨｚ）のオフセットでは、テレビジョン信号は約１０００倍の信号振幅であり得る。例えば、無線周波数信号は、約５０乃至８１０ＭＨｚの周波数範囲にわたって送信することができる。
【００１０】
図２は、従来技術の無線受信器２００を表す。複合入力信号がアンテナ（「Ａｎｔ」として示す）によって受信される。複合入力信号は、所望の信号、及び望ましくない干渉信号を含む。複合信号は、所望の信号、及び望ましくない信号が受信される１つ又は複数のチャネルを含み得る。複合入力信号は、所望のチャネルを中心とする第１のフィルタ（２次フィルタ）によって帯域通過フィルタリングされる。フィルタリングされた信号は次いで、可変利得低雑音増幅器（「Ａｍｐ」として示す）によって増幅され、第２のフィルタ段（４次フィルタ）によってフィルタリングされる。結果として生じる信号は、次いで、ミクサによって中間周波数（ＩＦ）にダウンコンバートされる。次いで、ルーフィング・フィルタが施される。上記フィルタの３段は、所望の信号及び中間の隣接した望ましくないチャネルを通過させるが、一層増加する周波数オフセットに伴う望ましくないチャネルに対して、急激に減少する利得レベルをもたらす。図２の無線受信器は、第１のフィルタ及び第２のフィルタに、高い品質因子構成部分を使用し得、両方の通過帯域が所望のチャネル周波数の同調に追随するように構成することができる。
【００１１】
この複合出力の振幅は、自動利得制御（ＡＧＣ）によって検出され、Ａｍｐの利得を制御するために使用される。ＡＧＣは、所望の信号及び望ましくない信号のレベルに応じてキャリア対雑音比（Ｃ／Ｎ）及びキャリア対相互変調比（Ｃ／ＩＭ）を最大にしようとする。例えば、望ましい信号がなく、所望の信号が弱い場合、利得は最大値に設定される一方、所望の信号が弱く、隣接Ｎ＋１チャネルが、より高い振幅を有する場合、利得をゆるめて、望ましくない信号の振幅を削減して、生成された相互変調積を削減する。同様の効果が、望ましくないＮ＋２信号に対して実現される。周波数オフセットの増加に伴って、望ましくない信号の振幅は増加する。しかし、フィルタ段による減衰は、ＡＧＣ検出器におけるレベルを削減するために減衰を増加させ、それにより、フロントエンドの利得を増加させる。
【００１２】
このシステムでは、単一の検出器（ＡＧＣとして示す）を使用することができ、このシステムは、望ましくない信号の周波数オフセットを求めないことがあり得る。よって、Ｎ＋１よりも更にオフセットされた望ましくない信号（望ましくないＮ＋１信号よりも振幅が大きい）の場合、Ａｍｐは、より大きな削減因子をもたらし、よって、より劣悪なＣ／Ｎをもたらす。このシステムは、最善に達成可能なＣ／Ｎ及びＣ／ＩＭの性能をもたらす訳でないことがあり得、何れかの信号を受信するための能力が低下した受信器につながり得る。
【００１３】
図２の従来技術のシステムは通常、高品質の構成部分及びフィルタを使用するので、信号がミクサに利用可能になる前に、望ましくない信号のかなりの減衰を施すことが可能である。望ましくない信号を十分減衰させるので、利得は、望ましくない信号の検出によってゆるめられず、場合によっては、受信器の、許容可能でない高い雑音値、及びいわゆる「自己消音」を阻止する。
【００１４】
一部のシナリオでは、図２のシステムの使用は、高度テレビジョン・システム委員会（以降、「Ａ／７４」）から入手可能な「Ｒｅｃｏｍｍｅｎｄｅｄ  Ｐｒａｃｔｉｃｅ：  Ｒｅｃｅｉｖｅｒ  Ｐｅｒｆｏｒｍａｎｃｅ  Ｇｕｉｄｅｌｉｎｅｓ  （２００４）」に限定されないが、少なくとも、前述のような適切な標準によって要求されるＣ／Ｎ及びＣ／ＩＭのレベルをもたらさないことがあり得る。例えば、前述のシナリオの１つは、フィルタが、例えば、無線機を集積回路として実現する場合に使用することができるような低品質因子及び低次のものである場合であり得る。低品質因子構成部分を使用すれば、望ましくない信号に施される減衰レベルを制限することが可能である。同様に、フィルタが低次であることにより、減衰のレベルが制限され得る。例えば、高品質因子構成部分を使用しないか、又は使用することができない集積回路として実現することができる無線受信器の性能を向上させることが望ましい。より低い品質因子の構成部分（例えば、インダクタ又はコンデンサ）が使用される図２中のものなどのシステムによってもたらされるような同等のＣ／Ｎ性能及びＣ／ＩＭ性能をもたらすことが望ましい。より低い品質因子の構成部分を使用することができる。より高い品質因子の構成部分が利用可能でないか、又は実現形態において使用するには大きすぎるからである。
【００１５】
本発明の一部の実施例では、高品質因子の構成部分は利用可能でないか、又は、実現形態において使用されるには、サイズが大きすぎる。よって、フィルタによる、望ましくない信号の減衰は、十分に高いレベルによってもたらされる訳でないことがあり得る。しかし、本発明の一部の実施例は、場合によっては、高品質因子の構成部分又は低次のフィルタ（すなわち、より少ないフィルタリング素子）を使用することなく、十分なＣ／Ｎ及びＣ／ＩＭの性能をもたらすために使用することが可能な手法をもたらす。
【００１６】
本発明の一部の実施例によれば、無線機は、望ましくない信号の周波数オフセット及び振幅に応じてレベル検出ロジックを使用し、求められた周波数オフセット及び振幅に基づいてフロントエンドに施される利得を設定する。本発明の一部の実施例は、ＲＦ信号内の複数の点において存在しているチャネルを検出する。受信信号に施される利得の制御は、望ましくないチャネルの振幅及びオフセットに部分的に基づいて行われ得る。利得を、望ましくないチャネルの周波数オフセット・コンテンツに基づいて決定論的なやり方で最適化して、チューナのＣ／Ｎ比及びＣ／ＩＭ比を最大にすることができる。
【００１７】
図３は、干渉を削減することができる本発明の実施例を表す。特に、図３の実施例は、望ましくない信号の制限された選択度減衰により、受信器における干渉を削減することができる。制限された選択度減衰は、１つ又は複数の高品質因子フィルタなどの高品質因子構成部分を使用しないことによるものであり得る。図３の実施例は、所望の信号チャネルからの異なるオフセットにおける干渉信号の存在（例えば、振幅）を評価し、干渉信号の振幅及び周波数オフセットに基づいて無線フロントエンド利得を制御することにより、無線受信器の性能を向上させることができる。施されたフロントエンド利得を、干渉信号の周波数オフセット及び振幅に基づいて決定論的なやり方で求めることができる。よって、施された利得を、望ましくないチャネルの周波数オフセット及び振幅に基づいて決定論的なやり方で最適化して、チューナのＣ／Ｎ比及びＣ／ＩＭ比を向上させることができる。よって、受信器は、送信信号を高精度で再生するための改良された機能を有し得る。
【００１８】
一部の実施例の利点は、何れの実施例の必要な機能でもないが、信号連鎖における種々の点における信号レベルを監視することにより、信号のコンテンツ、及びよって、所望のチャネルに対する、望ましくないチャネル及び振幅のオフセット周波数を求めることが可能である。この情報により、予測ベースで、求められた信号コンテンツに基づいて最適な性能を提供するよう可変利得関数を再構成することが可能である。
【００１９】
可変利得３０２は、無線媒体を介して送信された信号を受信することができる。可変利得３０２は、コントローラ３０８からの制御信号に応じて受信信号に利得（すなわち、利得又は減衰）を施し得る。受信信号は、所望のチャネルにおける所望の信号と、所望の信号のチャネルからの１つ又は複数のチャネル・オフセットにおける１つ又は複数の干渉信号とを含む複合信号であり得る。
【００２０】
無線機３０４は、可変利得３０２によって施される利得の信号を受信することができる。無線機３０４は、第１のフィルタ、ミクサ・ロジック、及び第２のフィルタを含み得る。第１のフィルタは、２次無線周波数帯域通過を有する帯域通過フィルタであり、少なくともＮ＋１オフセット干渉信号を通過させることを可能にし得る。第１のフィルタは、所望の信号のチャネルから例えばＮ＋８オフセットまでのチャネルをわずかな減衰で通過させることができる。実際には、フィルタは、入力信号全てを通過させるが、周波数オフセットとともに増加する減衰を伴って通過させる。第１のフィルタは、数十メガヘルツの通過帯域を有し得る。ミクサ・ロジックを使用して、第１のフィルタによって供給される無線周波数（ＲＦ）信号を中間周波数信号（ＩＦ）に変換することができる。第２のフィルタは、ミクサ・ロジックによって供給されるＩＦ信号を受信することができる。第２のフィルタは、所望の信号の周波数範囲を更に分離させることができる高次フィルタ（例えば、４次）フィルタであり得る。第２のフィルタは、約Ｎ＋１及び／又はＮ＋２干渉信号以外の干渉信号を、高品質因子フィルタよりも少ない程度で除去することができる。第２のフィルタは、数メガヘルツの通過帯域を有し得る。通過帯域から阻止帯域への遷移率は、第１のフィルタの場合よりも第２のフィルタの場合のほうがずっと急峻であり得る。特定の実施例では、第１のフィルタは第２のフィルタよりも低次であり得る。一部の実施例では、第１のフィルタは第２のフィルタよりも高次であり得る。
【００２１】
可変利得３０２を、検出器３０６−Ａ及び３０６−Ｂの何れかの出力に部分的に依存して、受信信号に利得を施して、無線機３０４に施される可変利得３０２からの受信信号の信号振幅レベルを設定することができる。例えば、図４に関する説明は、検出器３０６−Ａ及び３０６−Ｂを使用して、可変利得３０２によって施される利得を設定することが可能な考えられるやり方を記載している。
【００２２】
検出器３０６−Ａ及び３０６−Ｂは、支配的な少なくとも１つの干渉信号の所望の信号チャネルからの周波数オフセット及び振幅を求めることができる。検出器３０６−Ａは、所望のチャネルから約Ｎ＋１のオフセットにおける望ましくないチャネル及び所望のチャネルの複合振幅を測定することができる。例えば、複合振幅は、広帯域振幅検出回路を使用して測定することができる。検出器３０６−Ａは、干渉信号が、所望の信号チャネルから約Ｎ＋１のオフセットにおいて存在しているか否かを検出することができる。所望の信号チャネルからの約Ｎ＋１のオフセットにおける干渉信号は、所望の信号に影響を与える、雑音の３次スペクトル再成長をもたらし得る。検出器３０６−Ａは、減衰のない所望のチャネル及び隣接する望ましくないチャネルを検出し得るが、第２のフィルタのフィルタリング特性が理由で、隣接していない望ましくないチャネルを検出しないことがあり得る。隣接していない望ましくないチャネルのある程度の検出が２次フィルタの次数に応じて行われる遷移領域が、減衰が増加するにつれ、存在し得る。
【００２３】
検出器３０６−Ａは、可変利得３０２によって受信信号に施される利得を制御することができる。検出器３０６−Ａは、検出器３０６−Ａによって検出されたＣ／Ｎ及びＣ／ＩＭのレベルがシステム要件を満たすように利得を調節することができる。望ましくない干渉チャネルの、所望の信号チャネルからのオフセットが増加するにつれ、検出器３０６−Ａは、可変利得３０２の利得を増加させ、よって、削減された利得に関連付けられた高雑音値が理由で受信器が信号を受信する機能が低下することを阻止し、よって自己消音を阻止することができる。これにより、ミクサに入力され、検出器３０６−Ｂにおいて検出された信号の振幅が増加するが、しかし、Ｃ／Ｎ及びＣ／ＩＭは３次スペクトル・スプラッタによってもう支配されないことがあり得るが、圧縮及び高次スプラッタによって支配され、よって、信号は、この圧縮又は高次のスプラッタによって、許容不能に劣化し得る。
【００２４】
検出器３０６−Ｂは、所望の信号チャネルから約Ｎ＋１のオフセットを超える望ましくないチャネル及び所望のチャネルの複合振幅を測定することができる。例えば、複合振幅は、広帯域振幅検出回路を使用して測定することができる。検出器３０６−Ｂは、干渉信号が、所望の信号チャネルからの約Ｎ＋１のオフセットを超えて存在しているか否かを検出することができる。実際に、検出器３０６−Ｂはチャネル全てを検出するが、フィルタリングは更なるオフセット・チャネルを除去し、よって、検出器３０６−Ｂは、更なるオフセット・チャネルにより小さく反応する。検出器３０６−Ｂは、ミクサに入射する、所望のチャネルからの、例えばＮ＋４のオフセットまでのチャネルを検出することができる。所望の信号チャネルからの約Ｎ＋１のオフセットを超える干渉信号は、クリッピング雑音が所望のチャネル上に存在することをもたらし得る。検出された干渉信号に基づいて、検出器３０６−Ｂは、利得レベルを施す旨を利得３０２に命令し得る。
【００２５】
図４は、本発明の一部の実施例による、利得制御信号を供給するために使用することが可能なシステムを表す。システムは、それぞれの検出器３０６−Ａ及び３０６−Ｂから信号ｄｅｔ１及びｄｅｔ２を受信するよう結合された第１の誤り比較器及び第２の誤り比較器を含み得る。第１の誤り比較器及び第２の誤り比較器は、それぞれの参照信号Ｒｅｆ１及びＲｅｆ２を受信し得る。検出器は、増加する検出レベルに伴って増加するレベルを出力すると仮定すれば、第１の誤り比較器は、信号ｄｅｔ１が参照信号Ｒｅｆ１よりも大きい場合、非ゼロ信号Ｋ１を出力し、又はＲｅｆ１未満の場合、ゼロを出力する。出力信号Ｋ１は、ｄｅｔ１がｒｅｆ１よりも大きい量に比例する。信号Ｋ１は、負の値を有し得る定数Ｃｏｎｓｔ１と、ｒｅｆ１−ｄｅｔ１との積である。信号ｄｅｔ１がＲｅｆ１以下の場合、第１の誤り比較器は、信号を出力しないか、又は、約ゼロの値を出力する。
【００２６】
検出器が、増加する検出レベルに伴って増加するレベルを出力すると仮定すれば、第２の誤り比較器は、信号ｄｅｔ２が信号ｒｅｆ２よりも大きい場合、非ゼロ信号Ｋ２を出力する。出力信号Ｋ２は、ｄｅｔ２がｒｅｆ２よりも大きい量に比例する。信号Ｋ２は、ゼロであり得る定数Ｃｏｎｓｔ２と、ｒｅｆ２−ｄｅｔ２との積である。信号ｄｅｔ２がｒｅｆ２以下の場合、第２の誤り比較器は、信号を出力しないか、又は、約ゼロの値の信号を出力する。
【００２７】
例えば、図５は、同じ望ましくないチャネルについて検出器３０６−Ａ及び３０６−Ｂそれぞれについて検出された複合振幅の例を表す。信号ｄｅｔ１及びｄｅｔ２の振幅は、検出器３０６−Ａ及び３０６−Ｂそれぞれによって検出された複合振幅に比例し得る。
【００２８】
一部の実施例では、第１及び第２の誤り比較器からの制御信号のうちの大きい方（すなわち、Ｋ１又はＫ２）により、可変利得３０２の利得が設定される。すなわち、望ましくない信号が、両方の検出器が動作可能な遷移領域内にある場合、又は、Ｎ＋１干渉信号、及びＮ＋１より更にオフセットされた干渉信号が検出された場合、可変利得３０２は、Ｋ１及びＫ２のうちの大きい方に応じた利得レベルを施す。
【００２９】
例えばＡＴＳＣなどの特定の伝送標準の下では、望ましくない信号の振幅は周波数オフセットとともに増加する。検出器３０６−Ｂによる検出のみからの複合電力が印加された場合、これにより、場合によっては、受信器の消音が生じる。検出器３０６−Ａによる検出のみからの複合電力が印加された場合、それは、場合によっては、（ミクサへのレベルが高すぎることを理由とする）大きなオフセットでの受信器の消音、及び非線形クリップをもたらし得る。複数の検出器を使用することにより、両方の条件について最適化することが可能である。
【００３０】
望ましくないチャネルのオフセットが増加するにつれ、振幅が増加する。しかし、可変利得３０２の利得の増加につながる、第２のフィルタ内の減衰の対応する増加が存在している。その結果、ミクサ部への信号の振幅は増加し、場合によっては、この段における許容可能でない相互変調生成につながる。これは、より高い電力を印加し、従来技術の解決策に対して施され得るように、より大きな相互変調インタセプトを達成することによって軽減することが可能であるが、電力の制約が理由で望ましくない。本発明の一部の実施例では、知識が検出器３０６−Ｂ及び検出器３０６−Ａから抽出され、相互変調生成機構の理解を使用して、利得３０２によって施される利得を動的に調節して相互変調を削減することが可能である。
【００３１】
各検出器が、一定範囲の入力周波数及び振幅を各検出器が検出し、それにより、識別される対象の無線機３０２によって受信された干渉信号の更なるレベルを可能にする更なる検出器を含めることが可能である。例えば、検出器を使用して、所望の信号チャネルからの何れかの１つ又は複数のオフセットＮ＋ｘにおける干渉信号の存在を検出することができる。ここで、ｘは０以上であり、何れかの周波数オフセットであり得る。
【００３２】
一実施例では、可変利得機能は無線機内に配分させ得る。この場合、独立利得段それぞれの動作は、検出された信号の振幅及びオフセットに基づいて決定論的に同様に施される。前述の実施例では、検出器は最適には、（これに限定されないが）アーキテクチャ内で同様に３つ以上に同様に配分された利得機能を含み得る。例えば、図３を参照すれば、検出器３０６−Ａ又は３０６―Ｂの何れかからの入力に基づいてその施された利得を調節することができる第２の可変利得増幅器を含み得る。第２の可変利得増幅器を第１のフィルタとミクサ・ロジックとの間に配置して第１のフィルタによって供給される信号を増幅することが可能である。
【００３３】
図６は、本発明の一部の実施例による、干渉を削減するために使用することが可能な処理を表す。
【００３４】
ブロック６０２は、１つ又は複数の支配的な干渉信号の所望の信号チャネルからの振幅及び周波数オフセットを求めることができる。例えば、支配的な干渉信号は、所望の信号チャネルに隣接する１つ又は複数のチャネル内の望ましくない信号を含み得る。例えば、隣接チャネルはＮ＋１チャネルを含み得る。例えば、支配的な干渉信号は更に、又は、あるいは、非隣接の望ましくない信号（例えば、所望の信号チャネルからのＮ＋１チャネル・オフセットを超える）を含む。
【００３５】
ブロック６０４は、ブロック６０２において測定信号に基づいて受信信号に印加された利得を設定する工程を含み得る。隣接干渉信号の検出振幅と、第１の参照値との間の差に基づいた第１の差値を求めることが可能である。非隣接干渉信号の検出振幅と、第２の参照値との間の差に基づいた第２の差値を求めることが可能である。利得は、第１の差値及び第２の差値のうちの大きい方に基づいて設定することが可能である。例えば、図４を参照すれば、Ｋ１及びＫ２のうちの大きい方を出力して利得を設定することが可能である。利得は、適切なシステム要件によって規定される所望の限度内にＣ／Ｎ比及びＣ／ＩＭ比が収まるように設定することができる。
【００３６】
図７は、本発明の一部の実施例において使用することが可能なシステムを表す。例えば、テレビジョン信号受信器７０２は本発明の実施例を使用することができる。テレビジョン信号受信器７０２は、これに限定されないがＡ／７４などの適切な標準により、アンテナ及び無線ロジックを使用して無線媒体を介して送信される無線周波数テレビジョン信号を受信することができる。テレビジョン信号受信器７０２は、受信信号を復号化し、これに限定されないが、Ａ／７４及びＡＴＳＣなどの適切な標準によって表示するために復号化信号を供給することができる。信号は、インタフェースの何れかの形式を使用して表示装置に供給することができる。表示装置７０４は、復号化信号に基づいて画像又はビデオを表示することができる。表示装置７０４は、テレビジョン、又はコンピュータ・モニタなどの表示モニタとして実現することができる。一部の実施例では、テレビジョン信号受信器７０２は、プロセッサ及びメモリ装置を含むコンピュータに受信信号を供給することができる。プロセッサは、適切な標準により、受信信号を復号化することができることがあり得る。
【００３７】
本発明の実施例は、ＡＴＳＣ準拠システムにおける使用に限定されず」、無線受信器の一部であっても有線受信器の一部であっても、干渉を受ける何れのシステムにも使用することが可能である。
【００３８】
本発明の実施例は、マザーボードを使用して相互接続された１つ又は複数のマイクロチップ若しくは集積回路、配線ロジック、メモリ装置によって記憶され、マイクロプロセッサによって実行されるソフトウェア、ファームウェア、特殊用途向集積回路（ＡＳＩＣ）、及び／又はプログラム可能なゲート・アレイ（ＦＰＧＡ）の何れか又は前述の組合せとして実現することができる。「ロジック」の語は、例として、ソフトウェア若しくはハードウェア及び／又は、ソフトウェア及びハードウェアの組合せであり得る。本発明の実施例は例えば、コンピュータ、コンピュータ・ネットワークや他の電子装置などの１つ又は複数のマシンによって実行されると、本発明の実施例による動作を１つ又は複数のマシンに行わせることができるマシン実行可能な命令を記憶させた１つ又は複数のマシン読み取り可能な媒体を含み得るコンピュータ・プログラムとして提供することができる。マシン読み取り可能な媒体には、限定列挙でないが、フロッピー（登録商標）・ディスケット、光ディスク、ＣＤ−ＲＯＭ（コンパクト・ディスク−リード・オンリー・メモリ）、及び光磁気ディスク、ＲＯＭ（リード・オンリー・メモリ）、ＲＡＭ（ランダム・アクセス・メモリ）、ＥＰＲＯＭ（消去可能なプログラマブル・リード・オンリー・メモリ）、ＥＥＰＲＯＭ（電気的に消去可能なプログラマブル・リード・オンリー・メモリ）、磁気カード若しくは光カード、フラッシュ・メモリ、又は、マシン実行可能な命令を記憶するのに適した媒体／マシン読み取り可能な媒体を含み得る。
【００３９】
更に、本発明の実施例もコンピュータ・プログラム・プロダクトとしてダウンロードすることもでき、プログラムは、遠隔コンピュータ（例えば、サーバ）から要求側コンピュータ（例えば、クライアント）に、通信リンク（例えば、モデム及び／又はネットワーク接続）を介して搬送波や他の伝搬媒体において実施され、かつ／又は搬送波や他の伝搬媒体によって変調された１つ又は複数のデータ信号によって転送され得る。よって、本明細書及び特許請求の範囲記載のマシン読み取り可能な媒体は、必須でないが、前述の搬送波などを含み得る。
【００４０】
上記明細書及び図面は、本発明の例を表している。別個の機能品目の数として表されるが、前述の構成要素のうちの１つ又は複数を単一の機能要素に一体化させることができることを当業者は認識するであろう。あるいは、特定の構成要素は複数の機能的構成要素に分離することができる。一実施例からの構成要素は別の実施例に加えることができる。例えば、本明細書及び特許請求の範囲記載の処理の順序は、変えることができ、以下に記載のやり方に限定されない。更に、フロー図における動作は何れも、図示した順序で行わなくてよい。必要な業務全体を必ずしも、行わなくてよい。更に、他の動作に依存しない前述の動作は、その他の動作と並列に行うことができる。しかし、本発明の範囲は、前述の特定の例によって制限される訳でない。明細書に明示的に記載されているか否かに係わらず、数多くの変形（構造、寸法、及び材料の使用の差など）が考えられる。本発明の範囲は、少なくとも以下の特許請求の範囲によって記載されたものと同様な広さを有する。
【図１】
2010514370.tif 000003
【図２】
2010514370.tif 000004
【図３】
2010514370.tif 000005
【図４】
2010514370.tif 000006
【図５】
2010514370.tif 000007
【図６】
2010514370.tif 000008
【図７】
2010514370.tif 000009
【国際調査報告】
2010514370.tif 000010
2010514370.tif 000011
2010514370.tif 000012